(57)【要約】【課題】  小型で持ち運びが可能で作業現場で職務経験のない作業者でも容易に操作することができ、杭抜きの作業効率を向上することができる小型の杭の引き抜き装置の提供を目的とする。【解決手段】  狂態１に立設した杭が嵌入可能な溝部１２を有する本体部１と、杭を挟持可能な杭保持部材と、本体部１の内部に設けられ杭保持部材をその上面３３ａ、３３ｂに載置して押し上げ可能な油圧ジャッキとを備えたことを特徴とする。【選択図】  図１
2008297823.tif 000002
【特許請求の範囲】
【請求項１】
立設した杭が嵌入可能な溝部を有する本体部と、
前記杭を挟持可能な杭保持部材と、
前記本体部内部に設けられ前記杭保持部材を上面に載置して押し上げ可能な油圧ジャッキと、
を備えたことを特徴とする杭引き抜き装置。
【請求項２】
前記油圧ジャッキは、前記本体部の前記溝部の左右に１対、独立に操作可能に設けられていることを特徴とする請求項１に記載の杭引き抜き装置。
【請求項３】
前記杭保持部材は、その中央に前記杭を挟持する穴部を有する腕部と、この穴部で挟持された前記杭を締着する締着手段とを備えたことを特徴とする請求項１又は２に記載の杭引き抜き装置。
【請求項４】
前記腕部は、その中央で蝶番によって回動可能に支持されて、この回動によって前記穴部で前記杭を挟持可能に構成されていることを特徴とする請求項３に記載の杭引き抜き装置。
【請求項５】
前記杭保持部材は、その下面に前記油圧ジャッキの上面を受け入れる凹部を有することを特徴とする請求項１乃至４のいずれか１項に記載の杭引き抜き装置。
【請求項６】
立設した杭が嵌入可能な溝部を有する本体部と、前記杭を挟持可能な杭保持部材と、前記本体部内部に設けられ前記杭保持部材を上面に載置して押し上げ可能な油圧ジャッキとを備えた杭引き抜き装置を用いた杭引き抜き方法において、
地表から立設した前記杭を前記溝部に嵌入させる杭嵌入工程と、
その杭の前記溝部よりも上方の部分に前記杭保持部材を挟着させる保持部材挟着工程と、
前記油圧ジャッキを用いて前記杭保持部材を押し上げる押し上げ工程と、
を有することを特徴とする杭引き抜き方法。
【発明の詳細な説明】
【技術分野】
【０００１】
本発明は、杭引き抜き装置に関し、特に小型で操作が容易な杭引き抜き装置に関する。
【背景技術】
【０００２】
地盤中に埋め込まれたＨ形鋼や鋼矢板等の大型の杭を引き抜くための引き抜き装置として、クレーンに吊られたバイブロハンマーを杭の頭部に接続させ、そのバイブロハンマーによって発生する上下運動を利用して引き抜く方法、或いは、クレーンに吊り下げられた滑車に杭の頭部を接続させ、反力板を落下させることによる反力を利用して杭を引き抜く方法、杭周囲を削孔した後、杭を切断、或いは引き抜く方法などが知られている。また、トラクタ等の土木建築作業車に搭載する油圧式のチャックで杭を挟み、油圧により上下動するようにする方法もある。
【０００３】
また、杭を囲むように配置された架台フレームの四隅に設けられた支柱に載置された反力フレームを引き抜きジャッキで上昇させて、比較的狭いスペースでも引抜が行える引き抜き装置が報告されている（特許文献１参照）。
【０００４】
【特許文献１】特開２００７−３１９７６
【発明の開示】
【発明が解決しようとする課題】
【０００５】
しかしながら、これら従来の杭引き抜き装置は、大型の杭を引き抜くための装置であって、建設現場での仮囲いなどに使用される比較的小型の杭の引抜には、建設機械の用途外使用が禁止されているため、従来は手作業に頼ることが多く、そのために、多くの作業工数を要しているという問題があった。
【０００６】
本発明は、この問題を解決して、小型で持ち運びが可能で作業現場で職務経験のない作業者でも容易に操作することができ、杭抜きの作業効率を向上することができる小型の杭の引き抜き装置を提供することを目的とする。
【課題を解決するための手段】
【０００７】
上記課題を解決するため、本発明の杭引き抜き装置は、立設した杭が嵌入可能な溝部を有する本体部と、前記杭を挟持可能な杭保持部材と、前記本体部内部に設けられ前記杭保持部材を上面に載置して押し上げ可能な油圧ジャッキと、を備えたことを特徴とする。
【０００８】
ここで、前記油圧ジャッキは、前記本体部の前記溝部の左右に１対、独立に操作可能に設けられている構成としても良い。
【０００９】
また、前記杭保持部材は、その中央に前記杭を挟持する穴部を有する腕部と、この穴部で挟持された前記杭を締着する締着手段とを備える構成とすることができる。
【００１０】
さらに、前記杭保持部材の前記腕部は、その中央で蝶番によって回動可能に支持されて、この回動によって前記穴部で前記杭を挟持可能に構成されていても良い。  
【００１１】
ここで、前記杭保持部材は、その下面に前記油圧ジャッキの上面を受け入れる凹部を有するようにすることもできる。
【００１２】
上記課題を解決するため、本発明の杭引き抜き方法は、立設した杭が嵌入可能な溝部を有する本体部と、前記杭を挟持可能な杭保持部材と、前記本体部内部に設けられ前記杭保持部材を上面に載置して押し上げ可能な油圧ジャッキとを備えた杭引き抜き装置を用いた杭引き抜き方法において、地表から立設した前記杭を前記溝部に嵌入させる杭嵌入工程と、その杭の前記溝部よりも上方の部分に前記杭保持部材を挟着させる保持部材挟着工程と、前記油圧ジャッキを用いて前記杭保持部材を押し上げる押し上げ工程と、を有することを特徴とする。
【発明の効果】
【００１３】
以上のように本発明の杭引き抜き装置は、立設した杭が嵌入可能な溝部を有する本体部と、前記杭を挟持可能な杭保持部材と、前記本体部内部に設けられ前記杭保持部材を上面に載置して押し上げ可能な油圧ジャッキとを備えるように構成したので、簡単な操作で、経験のない作業者でも、少ない力で短い時間に多くの杭を抜くことができる。また、装置は比較的小型で軽量なので、持ち運びも容易である。
【発明を実施するための最良の形態】
【００１４】
本発明は、いわゆる仮囲いなどに用いられる小型の杭を引き抜く杭引き抜き装置に関するものである。
仮囲いは、建物を建設する際や解体する際、あるいは建物にペンキなどの塗装を行う際などに行われ、通常、周囲１００ｍくらいの囲いに対して７５本の杭が必要になる。
このような杭は、その直径は、４８．６ｍｍであって、長さが１ｍの場合は６０ｃｍ程度、長さが１．５ｍの場合は１ｍ程度が地中に埋設されている。仮に、７５本の杭を手作業で抜くとすると、建設現場によって条件は変わるが、数人で作業したとしてもほぼ１日（８時間）の作業工数が掛かる。これは、たとえ作業機械を流用したとしてもさほど工数を短縮することができず、且つ、コストアップにつながることになる。
【００１５】
ことに、杭を打ち込んでからの日数が１ヵ月後、１年後、２年後と長くなるにつれて、また、雨によって、杭を打ち込んだ周辺の地面が固まるにつれ、抜けにくくなって作業工数が増えることになる。また、打ち込んだ地面が、土かアスファルトであるかによっても異なってくる。
本発明は、このような問題を解決して、このような小型の杭を、経験のない作業者でも容易に効率よく、短い工数で抜くことが可能な杭引き抜き装置を提供する。
【００１６】
以下、本発明を図面に沿って詳細に説明する。
図１は、本発明の杭引き抜き装置の一実施形態の本体部１の斜視図、図２は、図１に示す実施形態の本体部１の正面側斜視図、図３は、図１に示す実施形態の本体部１の裏面側斜視図、図４は、図１に示す実施形態の本体部１の側面側斜視図である。
さらに、図５は、本実施形態の杭引き抜き装置の杭保持部材２を含めた上面図、図６は、本実施形態の杭引き抜き装置の側面断面図である。
【００１７】
図１乃至図６に示したように、本体部１は、正面側に立設する杭４を案内する溝部１２を備え、左右の側面に取手１３を有する筐体１１で構成されている。この筐体１１の内部の溝部１２の左右には１対の油圧ジャッキ３ａ、３ｂが収納されている。
【００１８】
油圧ジャッキ３ａ、３ｂには、それぞれハンドル３１ａ、３１ｂと圧抜きコック３２ａ、３２ｂが設けられており、圧抜きコック３２ａ、３２ｂを閉じた状態でハンドル３１ａ、３１ｂを上下することによって、油圧ジャッキ３ａ、３ｂのそれぞれのジャッキ上面３３ａ、３３ｂを、独立に、油圧によって押し上げることができる。なお、ハンドル３１ａ、３１ｂはその基部がねじ状になっていて、搬送時などには取り外して収納し邪魔にならないようにすることができる。
【００１９】
一方、図５及び図６に示すように、杭保持部材２は、その中央に穴部２３を有する腕部２１で構成され、その穴部２３の一方側は蝶番２２によって回動可能に保持され、穴部２３の他方側には、ねじによって穴部２３の径を締めて穴部２３に挿入された杭４を固定する締着手段２４が設けられている。
このような構成であるので、締着手段２４を緩めた後、蝶番２２を軸に腕部２１を開いて穴部２３で杭４を挟み込んでから、締着手段２４を締めることによって、杭保持部材２で杭４を挟持することができる。
【００２０】
この杭引き抜き装置によって杭４を引き抜く方法について説明する。
まず、引き抜きたい杭４のそばに本実施形態の杭引き抜き装置の本体部１を運んで、溝部１２に杭４をはめ込む（杭嵌入工程）。このとき、油圧ジャッキ３ａ、３ｂの圧抜きコック３２ａ、３２ｂは開いた状態にしておく。本体部１は、比較的小型、軽量で、両側面に取手１３が設けられているので、杭４のそばまでの持ち運びや、溝部１２への杭４の嵌入は比較的容易である。また、溝部１２には、その上下に杭４の側面に当接させる案内が設けられているので、溝部１２に杭４を当ててはめ込むだけで、その中心点を決めることができ、杭４の引き抜きの際に位置がずれて引き抜きに失敗するような虞はない。
【００２１】
この状態で、杭４の溝部１２より上に出た上部に杭保持部材２を挟着させる（保持部材挟着工程）。
杭保持部材２の挟着は、締着手段２４を緩めた後、蝶番２２を軸に腕部２１を開いて穴部２３に杭４を挟み込んでから、締着手段２４を締めることによって簡単に行うことができ、これによって杭保持部材２を杭４に固定することができる。
なお、杭保持部材２の下の面に油圧ジャッキ３ａ、３ｂのジャッキ上面３３ａ、３３ｂを受け入れる凹部を設けておくことで、杭保持部材２の位置決めを容易にするとともに、油圧ジャッキ３ａ、３ｂの操作の際にずれを防ぐことができる。
【００２２】
杭保持部材２による杭４の挟着が終わったら、圧抜きコック３２ａ、３２ｂを閉じてからハンドル３１ａ、３１ｂを操作して油圧ジャッキ３ａ、３ｂによって杭保持部材２を押し上げ、杭保持部材２に挟着された杭４を抜く作業を行う（押し上げ工程）。
このとき、油圧ジャッキ３ａ、３ｂは別々に操作することができるので、地面が傾斜していて杭４の立っている方向が地面に対して傾いているような場合には、一方側の油圧ジャッキ３を予め操作して、溝部１２の方向が杭４の立設方向とほぼ一致するようにしてから、溝部１２に杭４を嵌入させ、その後に、杭保持部材２を杭４に直角な水平方向に挟着させ、締着手段２４を閉めて固定する。
【００２３】
杭保持部材２を杭４に固定した後、油圧ジャッキ３ａ、３ｂを同時に、あるいは交互に操作して、ジャッキ上面３３ａ、３３ｂに積載されている杭保持部材２を押し上げて、杭保持部材２に固定されている杭４を引き抜く。
杭４を引き抜くに際しては、杭４の地中に埋まっている部分をすべて抜く必要はなく、５〜１０ｃｍ程度引き抜けば、後は手で容易に引き抜くことができる。
【００２４】
杭４を油圧ジャッキ３ａ、３ｂのジャッキ上面３３ａ、３３ｂで多少押し上げて、地面に埋まっていた部分が多少上がってきた後は、締着手段２４を緩め、杭保持部材２を杭４からはずして、以降は手作業で杭４を引き抜く。
杭引き抜き装置の方は、圧抜きコック３２ａ、３２ｂを緩めて、油圧ジャッキ３ａ、３ｂのジャッキ上面３３ａ、３３ｂを下げて次に備えておく。
【００２５】
このような方法で引き抜き作業を繰り返すことによって、建設現場での職務経験が少ない作業者でも、手作業の場合の１／３ぐらいの作業時間で効率的に杭の引抜を行うことができる。さらに、杭保持部材２を複数用意しておいて、予め複数の杭４にこの杭保持部材２を取り付け、杭引き抜き装置の本体部１を順次移動して引き抜き作業を行うようにすると、さらに作業時間を短縮することもできる。
【００２６】
以上、本発明を一実施の形態に沿って説明したが、本発明は、この実施形態に限られるものではなく、本発明の趣旨を逸脱しない範囲で種々な変形が考えられる。
例えば、以上の実施形態では杭保持部材２は中心で開閉可能な腕部２１を有する形状として示したが、輪状、板状に構成されてもよく、その締着手段２４も、実施形態ではねじによって締める型のものについて述べたが、ばねによって締めるように形成しても、杭４に設けられた段差や凹部に勘合するようなものであっても、引き抜き時に杭４を充分に保持できるものであればどのようなものであっても差し支えない。
【００２７】
また、本体部１の形状も、杭４を充分に案内でき、油圧ジャッキ３ａ、３ｂを杭４の両側に設置でき、杭４を固定した杭保持部材２を押し上げることが可能な小型で持ち運びが可能な形状であれば、どのような形状でも差し支えない。
【００２８】
本発明は、以上のように構成され機能するので、杭４を挟んだ杭保持部材２を油圧式のジャッキ３ａ、３ｂで押し上げることで、地面に打ち込まれた杭４を少ない力と短い時間で効率的に抜くことができる。さらに、複数の杭保持部材２を用意して予め複数の杭４に固定しておくことでいっそう効率を上げることができる。ここで杭４を押し上げる高さはせいぜい５〜１０ｃｍ程度で充分である。この装置では溝部１２に杭４を当てるだけで中心点を決定することができ、位置決めが容易である。左右の油圧ジャッキ３ａ、３ｂをそれぞれ単独に作動させることができるので、斜面に打ち込まれた杭４にも容易に対応することができる。また、経験の少ない作業者によっても簡単に使用することができる。小型、軽量で、杭保持部材２やハンドル３１ａ、３１ｂを別にすることができるので持ち運びが容易である。などの特徴を有している。
【産業上の利用可能性】
【００２９】
本発明は、以上に述べたように小型の杭の引き抜きを効率的に行うことができるので、仮囲いが必要なあらゆる建設現場で広く利用することができ、建築、建設産業の広範囲な分野で広範に利用される可能性を有している。
【図面の簡単な説明】
【００３０】
【図１】本発明の杭引き抜き装置の一実施形態の本体部の斜視図である。
【図２】図１に示す実施形態の本体部の正面側斜視図である。
【図３】図１に示す実施形態の本体部の裏面側斜視図である。
【図４】図１に示す実施形態の本体部の側面側斜視図である。
【図５】図１に示す実施形態の杭保持部材を含めた上面図である。
【図６】図１に示す実施形態の杭保持部材を含めた側面断面図である。
【符号の説明】
【００３１】
１  本体部
２  杭保持部材
３ａ、３ｂ  油圧ジャッキ
４  杭
１１  筐体
１２  溝部
１３  取手
２１  腕部
２２  蝶番
２３  穴部
２４  締着手段
２５  凹部
３１ａ、３１ｂ  ハンドル
３２ａ、３２ｂ  圧抜きコック
３３ａ、３３ｂ  ジャッキ上面
【図１】
2008297823.tif 000003
【図２】
2008297823.tif 000004
【図３】
2008297823.tif 000005
【図４】
2008297823.tif 000006
【図５】
2008297823.tif 000007
【図６】
2008297823.tif 000008